(57)【要約】【課題】防水性を向上させながらも導電部材の電気抵抗の低下およびハウジングの成形性の低下を抑制することができる防水コネクタを提供する。【解決手段】コンタクト側固定部２３の外周面に形成されているコンタクト側防水形状部２４は、複数の突起２５と複数の溝２６を有し、それぞれの突起２５は、コンタクト側固定部２３の表面２３Ａよりも高さＨ１だけコンタクト側固定部２３の外方へ突出し、それぞれの溝２６は、コンタクト側固定部２３の表面２３Ａよりも深さＨ２だけコンタクト側固定部２３の内方に窪み、突起２５の頂部と、この突起２５に隣接する溝２６の底部とが、コンタクト側固定部２３の表面２３Ａに対して傾斜する障壁面２７により接続されている。【選択図】  図６
2016081737.tif 000002
【特許請求の範囲】
【請求項１】
１つ以上の導電部材が絶縁性樹脂からなるハウジングに一体に成形された防水コネクタにおいて、
前記導電部材は、前記ハウジングから露出して相手側コネクタに接続されるコネクタ接続部と、前記ハウジングから露出して基板に接続される基板接続部と、前記コネクタ接続部と前記基板接続部との間を接続し且つ前記ハウジング内に埋め込まれる固定部とを有し、
前記固定部の表面に、前記固定部と前記ハウジングとの界面に沿った水の浸入を遮断するための防水形状部が形成され、
前記防水形状部は、前記固定部の表面から前記固定部の外方へ突出する突起と、前記突起に隣接し且つ前記固定部の表面から前記固定部の内方に窪んだ溝を有し、前記突起の頂部と前記突起に隣接する前記溝の底部とが、前記固定部の表面に対して傾斜または直交する障壁面により接続されていることを特徴とする防水コネクタ。
【請求項２】
前記防水形状部の前記障壁面は、０．０１ｍｍ以上の高低差を有する請求項１に記載の防水コネクタ。
【請求項３】
前記防水形状部は、前記固定部の周囲を囲って閉じるように形成されている請求項１または２に記載の防水コネクタ。
【請求項４】
前記防水形状部の前記障壁面は、平面、曲面、または、平面と曲面の組み合わせからなる請求項１〜３のいずれか一項に記載の防水コネクタ。
【請求項５】
前記導電部材は、１つ以上のコンタクトからなり、
前記コネクタ接続部は、前記相手側コネクタのコンタクトに接触する接点部からなる請求項１〜４のいずれか一項に記載の防水コネクタ。
【請求項６】
前記導電部材は、シェルからなり、
前記コネクタ接続部は、前記相手側コネクタと嵌合する嵌合部からなり、
前記固定部は、前記コネクタ接続部よりも細く形成されたシェル狭窄部を含み、
前記防水形状部は、前記シェル狭窄部の表面に形成されている請求項１〜４のいずれか一項に記載の防水コネクタ。
【請求項７】
前記導電部材は、シェルからなり、
前記コネクタ接続部は、前記相手側コネクタと嵌合する嵌合部からなり、
前記固定部は、中空の形状を有し、
前記防水形状部は、前記固定部の外周面および内周面にそれぞれ形成されている請求項１〜４のいずれか一項に記載の防水コネクタ。
【請求項８】
前記導電部材は、シェルおよび１つ以上のコンタクトからなり、
前記防水形状部は、前記シェルおよび前記１つ以上のコンタクトにそれぞれ形成されている請求項１〜４のいずれか一項に記載の防水コネクタ。
【発明の詳細な説明】
【技術分野】
【０００１】
この発明は、防水コネクタに係り、特に、コンタクトおよびシェル等の導電部材が絶縁性樹脂からなるハウジングに一体成形された防水コネクタに関する。
【背景技術】
【０００２】
近年、各種の電子機器等において、防水機能に対する要求が高く、これに伴い、外部機器と接続するためのコネクタとして、防水性を備えた防水コネクタの開発が進められている。
この種の防水コネクタとしては、インサート成形等によりコンタクトおよびシェル等の導電部材を絶縁性樹脂からなるハウジング内に一体成形したものがある。一体成形を行うことで、絶縁性樹脂の成形収縮力により、ハウジング内に埋没される部分の導電部材の表面が絶縁性樹脂と密着し、コネクタの外部からハウジングと導電部材との境界部を通してコネクタ内部に水が浸入することが防止される。
【０００３】
しかし、一般に、コンタクトおよびシェル等の導電部材を形成する金属材料とハウジングを形成する樹脂材料とでは、互いに熱膨張係数が異なるため、例えば、コネクタを電子機器の回路基板に装着する際のハンダ付け作業等、例えばリフロー実装によりコネクタが高温環境下に晒されると、導電部材の膨張量と絶縁性樹脂の膨張量とが異なり、導電部材の表面に密着していた絶縁性樹脂が導電部材の表面から剥離することがある。一旦、剥離が生じると、導電部材の表面と絶縁性樹脂との間に隙間が形成され、常温まで温度が降下しても、この隙間を通してコネクタ内部に水が浸入するおそれを生じてしまう。
【０００４】
また、コネクタに相手側コネクタを嵌合する際に、嵌合軸に対して斜め方向から無理矢理嵌合するような、いわゆる意地悪嵌合が行われて、ハウジングと導電部材との間に大きな応力が作用することがある。この場合にも、ハウジングの絶縁性樹脂が導電部材の表面から剥離して、コネクタの防水性が損なわれるおそれがある。
【０００５】
そこで、ハウジング内に埋没される部分の導電部材の表面に溝または突起からなる防水形状部を形成することにより、防水性を向上させた防水コネクタが、本出願人により出願され、登録されている（特許文献１）。
特許文献１の防水コネクタでは、例えば図１５（Ａ）に示されるように、絶縁性樹脂からなるハウジング１内に埋め込まれて固定される導電部材２の固定部の表面に、それぞれ導電部材２の周囲を囲って閉じる複数の溝３が形成される、あるいは、図１５（Ｂ）に示されるように、絶縁性樹脂からなるハウジング４内に埋め込まれて固定される導電部材５の固定部の表面に、それぞれ導電部材５の周囲を囲って閉じる複数の突起６が形成される。
【０００６】
このような溝３または突起６の存在により、絶縁性樹脂材料と金属材料の熱膨張係数の相違、あるいは、いわゆる意地悪嵌合等に起因して、たとえ、ハウジング１または４を構成する絶縁性樹脂が導電部材２または５の表面から剥離し、ハウジング１または４と導電部材２または５との界面に沿って水が浸入したとしても、浸入した水は、溝３あるいは突起６で遮断されることとなる。
【先行技術文献】
【特許文献】
【０００７】
【特許文献１】特許第５４３３７７６号公報
【発明の概要】
【発明が解決しようとする課題】
【０００８】
溝３または突起６は、浸入した水を遮断するために、所定値以上の高低差Ｈ０を有することが望ましいが、図１５（Ａ）に示されるように、高低差の大きな溝３を形成すると、その分だけ導電部材２の断面積が減じられ、導電部材２の電気抵抗や強度が低下するおそれがある。
また、図１５（Ｂ）に示されるように、高低差の大きな突起６を形成すると、一体成形の際に金型内に注入される絶縁性樹脂の流動性が阻害されてハウジング４の成形性の低下を招くおそれがある。
【０００９】
この発明は、このような従来の問題点を解消するためになされたもので、防水性を向上させながらも導電部材の電気抵抗の低下およびハウジングの成形性の低下を抑制することができる防水コネクタを提供することを目的とする。
【課題を解決するための手段】
【００１０】
この発明に係る防水コネクタは、１つ以上の導電部材が絶縁性樹脂からなるハウジングに一体に成形された防水コネクタにおいて、導電部材は、ハウジングから露出して相手側コネクタに接続されるコネクタ接続部と、ハウジングから露出して基板に接続される基板接続部と、コネクタ接続部と基板接続部との間を接続し且つハウジング内に埋め込まれる固定部とを有し、固定部の表面に、固定部とハウジングとの界面に沿った水の浸入を遮断するための防水形状部が形成され、防水形状部は、固定部の表面から固定部の外方へ突出する突起と、突起に隣接し且つ固定部の表面から固定部の内方に窪んだ溝を有し、突起の頂部と突起に隣接する溝の底部とが、固定部の表面に対して傾斜または直交する障壁面により接続されているものである。
【００１１】
防水形状部の障壁面は、０．０１ｍｍ以上の高低差を有することが好ましい。
さらに、防水形状部は、固定部の周囲を囲って閉じるように形成されることが好ましい。
防水形状部の障壁面は、平面、曲面、または、平面と曲面の組み合わせから形成することができる。
【００１２】
導電部材は、１つ以上のコンタクトからなり、コネクタ接続部は、相手側コネクタのコンタクトに接触する接点部からなるように構成することができる。
あるいは、導電部材は、シェルからなり、コネクタ接続部は、相手側コネクタと嵌合する嵌合部からなり、固定部は、コネクタ接続部よりも細く形成されたシェル狭窄部を含み、防水形状部は、シェル狭窄部の表面に形成されているように構成してもよい。
また、導電部材は、シェルからなり、コネクタ接続部は、相手側コネクタと嵌合する嵌合部からなり、固定部は、中空の形状を有し、防水形状部は、固定部の外周面および内周面にそれぞれ形成されているように構成することもできる。
さらに、導電部材は、シェルおよび１つ以上のコンタクトからなり、防水形状部は、シェルおよび１つ以上のコンタクトにそれぞれ形成されていてもよい。
【発明の効果】
【００１３】
この発明によれば、導電部材の固定部の表面に形成される防水形状部が、固定部の表面から固定部の外方へ突出する突起と、突起に隣接し且つ固定部の表面から固定部の内方に窪んだ溝を有し、突起の頂部と突起に隣接する溝の底部とが、固定部の表面に対して傾斜または直交する障壁面により接続されているので、防水性を向上させながらも導電部材の電気抵抗の低下およびハウジングの成形性の低下を抑制することが可能となる。
【図面の簡単な説明】
【００１４】
【図１】この発明の実施の形態１に係る防水コネクタを示し、（Ａ）は斜め上方かつ前方から見た斜視図、（Ｂ）は斜め上方かつ後方から見た斜視図、（Ｃ）は斜め下方かつ前方から見た斜視図、（Ｄ）は斜め下方かつ後方から見た斜視図である。
【図２】実施の形態１の防水コネクタに用いられたシェルを示し、（Ａ）は斜め上方かつ前方から見た斜視図、（Ｂ）は斜め上方かつ後方から見た斜視図、（Ｃ）は斜め下方かつ前方から見た斜視図、（Ｄ）は斜め下方かつ後方から見た斜視図である。
【図３】実施の形態１の防水コネクタに用いられたシェルの展開図である。
【図４】実施の形態１の防水コネクタに用いられたコンタクトを示す斜視図である。
【図５】実施の形態１に係る防水コネクタの分解斜視図である。
【図６】実施の形態１に係る防水コネクタのハウジングに埋め込まれたコンタクトの固定部を示す部分断面図である。
【図７】実施の形態１に係る防水コネクタをシェル防水形状部の高さで切断した状態を示す斜視図である。
【図８】実施の形態１に係る防水コネクタをコンタクトの位置で切断した状態を示す斜視図である。
【図９】実施の形態２に係る防水コネクタに用いられたコンタクトの各種の防水形状部を示す部分断面図である。
【図１０】実施の形態３に係る防水コネクタに用いられたシェルを示す平面図である。
【図１１】実施の形態４に係る防水コネクタの分解斜視図である。
【図１２】実施の形態４に係る防水コネクタに用いられたシェルを示す斜視図である。
【図１３】実施の形態４に係る防水コネクタをシェルの基板接続部の位置で切断した状態を示す斜視図である。
【図１４】実施の形態４に係る防水コネクタをコンタクトの位置で切断した状態を示す斜視図である。
【図１５】従来の防水コネクタのハウジングに埋め込まれた導電部材の固定部を示し、（Ａ）は表面に溝が形成された固定部の部分断面図、（Ｂ）は表面に突起が形成された固定部の部分断面図である。
【発明を実施するための形態】
【００１５】
以下、この発明の実施の形態を添付図面に基づいて説明する。
実施の形態１
図１に、この発明の実施の形態１に係る防水コネクタの構成を示す。防水コネクタは、ほぼ直方体形状の外形を有するハウジング１０と、ハウジング１０に固定された複数のコンタクト２０と、ハウジング１０に固定され且つ複数のコンタクト２０をシールドするためのシェル３０を有している。ハウジング１０は、絶縁性樹脂から形成され、コンタクト２０およびシェル３０は、導電性を有する金属材料から形成されている。
【００１６】
シェル３０は、ハウジング１０の前面１０Ａ側に開口する中空の嵌合部（シェル側コネクタ接続部）３１を有し、嵌合部３１の内部に、相手側コネクタと嵌合するための空間Ｓが形成されている。それぞれのコンタクト２０の前端に配置された接点部（コンタクト側コネクタ接続部）２１が、シェル３０の嵌合部３１の空間Ｓ内に配置されている。一方、それぞれのコンタクト２０の後端に配置されたコンタクト側基板接続部２２が、ハウジング１０の後面１０Ｂからハウジング１０の外部に露出している。
また、シェル３０は、一対のシェル側基板接続部３２を有し、これらのシェル側基板接続部３２が、ハウジング１０の下面１０Ｃからハウジング１０の外部に露出している。
【００１７】
図２に示されるように、シェル３０の嵌合部３１は、中心軸Ｃ１を有すると共に、中心軸Ｃ１に直交する方向に細長い扁平な断面形状を伴う筒形状を有している。ここで、便宜上、嵌合部３１の前方から後方へ向かって中心軸Ｃ１と平行に延びる方向をＸ方向、扁平な嵌合部３１の上面３１Ａが延びる面をＸＹ面、嵌合部３１の上面３１Ａに垂直で且つ下方へ向かう方向をＺ方向と呼ぶものとする。
【００１８】
シェル３０は、嵌合部３１と一対のシェル側基板接続部３２との間を接続するシェル側固定部３３を有している。シェル側固定部３３は、嵌合部３１の上部後端の中央から、嵌合部３１の中心軸Ｃ１に沿ってＸ方向に突出した後方突出部３３Ａと、後方突出部３３Ａの後端から扁平な嵌合部３１の上面３１Ａに平行で且つ中心軸Ｃ１に垂直な両方向、すなわちＹ方向および−Ｙ方向へそれぞれ延びる一対の腕部３３Ｂと、双方の腕部３３Ｂの先端からそれぞれ下方、すなわちＺ方向へ延びる一対の脚部３３Ｃを含んでいる。そして、一対の脚部３３Ｃの下端に、それぞれシェル側基板接続部３２が接続されている。これら一対のシェル側基板接続部３２は、嵌合部３１の後方から前方へ向かう方向、すなわちＸＹ面上で且つ−Ｘ方向に延びるように形成されている。
シェル側固定部３３の後方突出部３３Ａ、一対の腕部３３Ｂおよび一対の脚部３３Ｃは、いずれも嵌合部３１よりも細いシェル狭窄部を形成しており、このようなシェル狭窄部を有するシェル側固定部３３は、シェル３０がハウジング１０にモールド成形される際に、ハウジング１０内に埋め込まれる。
【００１９】
さらに、一対の腕部３３Ｂの外周面に、腕部３３Ｂとハウジング１０との界面に沿った水の浸入を遮断するためのシェル側防水形状部３４が形成されている。シェル側防水形状部３４は、腕部３３Ｂの周囲を囲って閉じるように形成されており、シェル側防水形状部３４の存在により、シェル側固定部３３の表面は、嵌合部３１側の部分とシェル側基板接続部３２側の部分とに分離されている。
【００２０】
このような構成のシェル３０は、導電性を有する金属板３５を、図３に示されるような形状に切り抜いた後、プレス等により折り曲げ加工することで作製することができる。帯状部分３５Ａが扁平な筒形状に成形されて嵌合部３１を形成し、帯状部分３５Ａの中央の外縁部から後方突出部３３Ａが突出し、後方突出部３３Ａの先端に一対の腕部３３Ｂが接続され、一対の腕部３３Ｂの先端に一対の脚部３３Ｃが接続され、一対の脚部３３Ｃの先端にそれぞれ接続された平板部分３５Ｂによりシェル側基板接続部３２が形成される。
図３の展開図から明らかなように、嵌合部３１を形成する帯状部分３５Ａからシェル側基板接続部３２を形成する一対の平板部分３５Ｂに至る経路の途中に、それぞれシェル側防水形状部３４を有する腕部３３Ｂが存在している。
【００２１】
図４にコンタクト２０の構成を示す。コンタクト２０は、棒状部材または平板部材から形成され、接点部２１とコンタクト側基板接続部２２との間にコンタクト側固定部２３が形成されている。コンタクト側固定部２３は、シェル３０と共にハウジング１０にモールド成形される際に、ハウジング１０内に埋め込まれて、コンタクト２０をハウジング１０に固定する部分である。このコンタクト側固定部２３の外周面に、コンタクト側固定部２３とハウジング１０との界面に沿った水の浸入を遮断するためのコンタクト側防水形状部２４が形成されている。コンタクト側防水形状部２４は、コンタクト側固定部２３の周囲を囲って閉じるように形成されており、このコンタクト側防水形状部２４により、コンタクト２０の表面は、接点部２１側の部分とコンタクト側基板接続部２２側の部分とに分離されている。
【００２２】
図５に、防水コネクタの分解図を示す。シェル３０の嵌合部３１の内面がハウジング１０の前端側に露出し、シェル側防水形状部３４が形成されたシェル側固定部３３がハウジング１０内に埋め込まれ、シェル側基板接続部３２がハウジング１０の下面１０Ｃから露出し、各コンタクト２０の接点部２１がシェル３０の嵌合部３１内で露出し、コンタクト側防水形状部２４が形成されたコンタクト側固定部２３がハウジング１０内に埋め込まれ、コンタクト側基板接続部２２がハウジング１０の後面１０Ｂから露出するように、ハウジング１０がシェル３０および複数のコンタクト２０と一体にモールド成形される。
このとき、コンタクト２０の接点部２１がシェル３０の嵌合部３１内に位置するように複数のコンタクト２０とシェル３０を図示しない金型内にセットし、金型を閉じて金型内に溶融した絶縁性樹脂材料を注入した後、冷却することで、ハウジング１０と複数のコンタクト２０およびシェル３０とを一体成形して、図１に示したような防水コネクタを製造することができる。
【００２３】
ここで、コンタクト側固定部２３の外周面に形成されているコンタクト側防水形状部２４を図６に示す。
コンタクト側防水形状部２４は、コンタクト側固定部２３の表面に形成された複数の突起２５と複数の溝２６を有している。それぞれの突起２５は、三角形の断面形状を有し、コンタクト側防水形状部２４が存在しない部分のコンタクト側固定部２３の表面２３Ａよりも高さＨ１だけコンタクト側固定部２３の外方へ突出している。また、それぞれの溝２６は、三角形の断面形状を有する、いわゆるＶ溝であり、コンタクト側防水形状部２４が存在しない部分のコンタクト側固定部２３の表面２３Ａよりも深さＨ２だけコンタクト側固定部２３の内方に窪んでいる。図６では、コンタクト側防水形状部２４が存在しない部分のコンタクト側固定部２３の表面２３Ａの延長線２３Ｂが、一点鎖線により表されている。
【００２４】
そして、突起２５と溝２６がコンタクト側固定部２３の長さ方向に交互に配置され、それぞれの突起２５の頂部と、この突起２５に隣接する溝２６の底部とが、コンタクト側固定部２３の表面２３Ａに対して一様に傾斜する平面形状の障壁面２７により接続されている。
複数の突起２５および複数の溝２６に対応して、このような複数の障壁面２７が形成されている。それぞれの障壁面２７は、突起２５の高さＨ１と溝２６の深さＨ２の和Ｈ１＋Ｈ２で表される高低差Ｈ３を有し、コンタクト側固定部２３とハウジング１０との界面に沿った水の浸入を遮断するために、高低差Ｈ３は０．０１ｍｍ以上であることが望まれる。
また、複数の突起２５と複数の溝２６は、それぞれ、コンタクト側固定部２３の周囲を囲って閉じるように形成されている。
このようなコンタクト側防水形状部２４は、例えば、レーザ加工、プレス加工、研削加工等の機械加工、または、エッチング等の化学処理を用いることによって形成することができる。
【００２５】
コンタクト側防水形状部２４の構成により、水の浸入を遮断するために必要な障壁面２７の高低差Ｈ３＝Ｈ１＋Ｈ２を確保しながらも、コンタクト側防水形状部２４が存在しない部分のコンタクト側固定部２３の表面２３Ａからの突起２５の頂部の突出量をＨ１に、溝２６の底部の窪み量をＨ２に、それぞれ抑えることができる。
このため、溝２６を形成することによるコンタクト側固定部２３の断面積の低減が抑制され、コンタクト２０の電気抵抗の低下並びに機械的強度の低下を抑制することが可能になる。
また、突起２５の頂部の突出量が、水の浸入を遮断するために必要な高低差Ｈ３よりも小さい値Ｈ１に抑えられているため、ハウジング１０とコンタクト２０の一体成形の際に金型内に注入される絶縁性樹脂の流動性の低下に起因したハウジング１０の成形性の低下を抑制することが可能となる。さらに、突起２５の存在によるハウジング１０の厚さの低減が抑制され、ハウジング１０を構成する絶縁性樹脂の成形収縮力の低下が抑制されるので、ハウジング１０とコンタクト側固定部２３との密着性を確保することができる。
さらに、突起２５の頂部の突出量が抑制されているので、電気信号の高速伝送を行うことが可能となる。
【００２６】
なお、シェル側固定部３３の腕部３３Ｂの外周面に形成されているシェル側防水形状部３４も、コンタクト側防水形状部２４と同様に、シェル側防水形状部３４が存在しない部分の腕部３３Ｂの表面よりも外方へ突出する複数の突起と、シェル側防水形状部３４が存在しない部分の腕部３３Ｂの表面よりも腕部３３Ｂの内方に窪んだ複数の溝を有し、それぞれの突起の頂部と、この突起に隣接する溝の底部とが、腕部３３Ｂの表面に対して一様に傾斜する障壁面により接続されている。
このため、コンタクト２０と同様に、シェル３０に対しても、水の浸入を遮断するために必要な障壁面の高低差を確保しながら、シェル３０の電気抵抗の低下並びに機械的強度の低下を抑制することが可能になると共に、ハウジング１０の成形性の低下を抑制し、ハウジング１０とシェル側固定部３３の腕部３３Ｂとの密着性を確保することが可能となる。
【００２７】
実施の形態１に係る防水コネクタを、シェル３０の一対の腕部３３Ｂの高さでＸＹ面に沿って切断した状態を図７に示す。シェル３０のシェル側固定部３３がハウジング１０内に埋め込まれ、嵌合部３１から後方突出部３３Ａを介して一対の腕部３３Ｂが接続されている。また、嵌合部３１の内面は、ハウジング１０に覆われることなく露出している。腕部３３Ｂには、シェル側防水形状部３４が腕部３３Ｂの周囲を囲って閉じるように形成されており、腕部３３Ｂの切断面の両側縁に、シェル側防水形状部３４の断面形状が現れている。
【００２８】
また、防水コネクタを、コンタクト２０の位置でＸＺ面に沿って切断した状態を図８に示す。コンタクト２０の接点部２１がシェル３０の嵌合部３１内で露出し、コンタクト側基板接続部２２がハウジング１０の後面１０Ｂから後方へ突出して露出し、コンタクト側固定部２３がハウジング１０内に埋め込まれている。また、コンタクト２０のコンタクト側固定部２３の上方には、シェル３０の腕部３３Ｂの切断面が示されている。コンタクト２０のコンタクト側固定部２３には、コンタクト側防水形状部２４がコンタクト側固定部２３の周囲を囲って閉じるように形成されており、コンタクト側固定部２３の切断面の両側縁に、コンタクト側防水形状部２４の断面形状が現れている。
【００２９】
ハウジング１０とシェル３０およびコンタクト２０との一体成形により、ハウジング１０内に埋め込まれるシェル３０のシェル側固定部３３およびコンタクト２０のコンタクト側固定部２３の表面にハウジング１０を構成する絶縁性樹脂が密着される。
【００３０】
上述したように、ハウジング１０内に埋め込まれるコンタクト２０のコンタクト側固定部２３には、コンタクト側固定部２３の周囲を囲って閉じるようにコンタクト側防水形状部２４が形成されている。このため、たとえ、コンタクト２０のコンタクト側固定部２３の表面に密着されていたハウジング１０の絶縁性樹脂がコンタクト側固定部２３から剥離し、シェル３０の嵌合部３１内に露出している接点部２１からコンタクト側固定部２３とハウジング１０との界面に沿って水が浸入したとしても、浸入した水は、コンタクト側防水形状部２４によって遮断され、ハウジング１０の後面１０Ｂから露出しているコンタクト側基板接続部２２にまで至ることが防止される。
【００３１】
同様に、ハウジング１０内に埋め込まれるシェル３０のシェル側固定部３３には、嵌合部３１からシェル側基板接続部３２に至る経路の途中に存在する腕部３３Ｂの周囲を囲って閉じるようにシェル側防水形状部３４が形成されているので、ハウジング１０を構成する絶縁性樹脂材料とシェル３０を形成する金属材料の熱膨張係数の相違等に起因して、あるいは、相手側コネクタとの嵌合時に嵌合軸に対して斜め方向から無理矢理嵌合するような、いわゆる意地悪嵌合が行われて、たとえ、シェル３０のシェル側固定部３３の表面に密着されていたハウジング１０の絶縁性樹脂がシェル側固定部３３から剥離し、嵌合部３１からシェル側固定部３３とハウジング１０との界面に沿って水が浸入したとしても、浸入した水は、シェル側固定部３３の腕部３３Ｂに到達したところで、シェル側防水形状部３４により遮断され、ハウジング１０の下面１０Ｃから露出しているシェル側基板接続部３２にまで至ることが防止される。
【００３２】
特に、シェル側防水形状部３４が形成されている腕部３３Ｂは、嵌合部３１よりも細いシェル狭窄部を構成するため、水の浸入路が狭められて浸入する水の量が制限されており、シェル側防水形状部３４により効果的に防水機能を発揮することができる。
このようにして、ハウジング１０とシェル３０およびコンタクト２０との間の防水性を向上させて装置内部、すなわち防水コネクタが搭載される基板側に水が浸入することを防止することが可能となる。
【００３３】
なお、図６に示したコンタクト側防水形状部２４は、複数の突起２５と複数の溝２６と複数の障壁面２７を有していたが、これに限るものではなく、１つの突起２５と１つの溝２６と１つの障壁面２７のみを有するように構成しても、ハウジング１０との界面に沿った水の浸入を抑制することはできる。ただし、複数の突起２５と複数の溝２６と複数の障壁面２７を有する方が、より高い防水機能を発揮することができる。
同様に、シェル側防水形状部３４も、１つの突起と１つの溝とこれらを接続する１つの障壁面から構成することができるが、複数の突起と複数の溝と複数の障壁面を有する方が、より優れた防水効果を得ることができる。
【００３４】
シェル３０は、ハウジング１０の下面１０Ｃから露出する一対のシェル側基板接続部３２を有していたが、１つのシェル側基板接続部３２のみ、あるいは、３つ以上のシェル側基板接続部３２を有することもできる。シェル側基板接続部３２が１つの場合は、嵌合部３１からシェル側基板接続部３２に至る経路の途中に１つの腕部３３Ｂを形成して、この腕部３３Ｂの表面にシェル側防水形状部３４を形成すればよい。また、シェル３０が３つ以上のシェル側基板接続部３２を有する場合には、嵌合部３１からそれぞれのシェル側基板接続部３２に至る経路の途中にいずれかのシェル側防水形状部３４が存在するように配置すればよく、シェル側防水形状部３４が形成される腕部３３Ｂは、シェル側基板接続部３２と同数だけ存在しても、あるいは、シェル側基板接続部３２の個数より少ない個数でも構わない。
【００３５】
なお、シェル３０の嵌合部３１は、複数のコンタクト２０の接点部２１の全周を覆うような扁平な筒形状を有していたが、これに限るものではなく、複数のコンタクト２０の接点部２１の一部のみを覆うものであっても、防水コネクタの使用状況によっては、シールド効果を奏することができる。さらに、シールド効果を得る必要がなく、シェル側基板接続部３２を介して防水コネクタを基板に取り付けるためのものとしてシェルを使用する場合には、シェルは、複数のコンタクト２０の接点部２１を覆っていなくてもよい。
【００３６】
実施の形態２
上記の実施の形態１で用いられたコンタクト側防水形状部２４は、図６に示したように、複数の突起２５および複数の溝２６がそれぞれ三角形の断面形状を有し、突起２５の頂部と溝２６の底部を接続する障壁面２７が平面形状を有していたが、これに限るものではない。
例えば、図９（Ａ）に示されるように、曲面からなる丸みを帯びた突起２５Ａと曲面からなる丸みを帯びた溝２６Ａを形成してもよい。この場合、突起２５Ａの頂部と溝２６Ａの底部を接続する障壁面２７Ａは、平面と曲面を組み合わせたものとなる。また、図９（Ｂ）に示されるように、曲面からなる丸みを帯びた突起２５Ｂと三角形状の溝２６Ｂとを組み合わせることもできる。
【００３７】
図９（Ｃ）に示されるように、平坦形状の頂部を有する突起２５Ｃと三角形状の溝２６Ｃとを組み合わせてもよい。逆に、図９（Ｄ）に示されるように、三角形状の突起２５Ｄと平坦形状の底部を有する溝２６Ｄを組み合わせることもできる。さらに、図９（Ｅ）に示されるように、平坦形状の底部に１つの三角形状の微小な突部が形成された溝２６Ｅと三角形状の突起２５Ｅの組み合わせ、図９（Ｆ）に示されるように、平坦形状の底部に２つの三角形状の微小な突部が連続して形成された溝２６Ｆと三角形状の突起２５Ｆの組み合わせ、図９（Ｇ）に示されるように、平坦形状の底部に２つの三角形状の微小な突部が間隔を隔てて形成された溝２６Ｇと三角形状の突起２５Ｇの組み合わせも可能である。
【００３８】
図９（Ａ）〜（Ｇ）に示したコンタクト側防水形状部２４は、いずれも、溝２６Ａ〜２６Ｇの両側に形成された一対の障壁面２７Ａ〜２７Ｇが、コンタクト側固定部２３の内方に向かって先細りになるようなテーパ形状を形成していたが、図９（Ｈ）に示されるように、一対の鋭く尖った突起２５Ｈの間に平坦形状の底部を有する溝２６Ｈが配置され、溝２６Ｈの両側に形成された一対の障壁面２７Ｈが、コンタクト側固定部２３の外方に向かって先細りになるようなテーパ形状を形成していてもよい。
同様に、図９（Ｉ）に示されるように、平坦形状の頂部を有する一対の突起２５Ｉの間に平坦形状の底部を有する溝２６Ｉが配置され、溝２６Ｉの両側に形成された一対の障壁面２７Ｉが、コンタクト側固定部２３の外方に向かって先細りになるようなテーパ形状を形成することもできる。
【００３９】
また、図９（Ａ）〜（Ｉ）に示したコンタクト側防水形状部２４は、いずれも、障壁面２７Ａ〜２７Ｉが、コンタクト側固定部２３の表面に対して傾斜していたが、図９（Ｊ）に示されるように、突起２５Ｊの平坦形状の頂部と溝２６Ｊの平坦形状の底部とを、コンタクト側固定部２３の表面に対して直交する障壁面２７Ｊにより接続することもできる。このような障壁面２７Ｊを有するコンタクト側防水形状部２４を用いても、ハウジング１０とコンタクト側固定部２３との界面に沿った水の浸入を抑制して、優れた防水効果を得ることができる。
図９（Ｋ）に示されるように、三角形状の突起２５Ｋの頂部と平坦形状の溝２６Ｋの底部をコンタクト側固定部２３の表面に対して直交する障壁面２７Ｋにより接続してもよい。さらに、図９（Ｌ）に示されるように、三角形状の突起２５Ｌの頂部とＵ字状の溝２６Ｌの底部を障壁面２７Ｌで接続することもできる。この場合、障壁面２７Ｌは、コンタクト側固定部２３の表面に対して直交する平面と曲面を組み合わせたものとなる。
【００４０】
また、図９（Ｍ）に示されるように、一対の三角形状の突起２５Ｍ１の間に平坦形状の頂部を有する突起２５Ｍ２を配置すると共に、両側の突起２５Ｍ１と中央の突起２５Ｍ２の間にそれぞれ三角形状の溝２６Ｍを形成することもできる。突起２５Ｍ１の頂部と溝２６Ｍの底部が障壁面２７Ｍ１で接続され、突起２５Ｍ２の頂部と溝２６Ｍの底部が障壁面２７Ｍ２で接続され、これら障壁面２７Ｍ１および２７Ｍ２が、互いに異なる傾斜角を有している。
【００４１】
図９（Ａ）〜（Ｍ）に示したコンタクト側防水形状部２４は、いずれも、コンタクト側固定部２３の長手方向に垂直な面に対して対称な断面形状を有していたが、非対称な断面形状を有していてもよい。
例えば、図９（Ｎ）に示されるように、比較的頂角の大きな三角形状の突起２５Ｎ１と比較的頂角の小さな三角形状の突起２５Ｎ２の間に三角形状の溝２６Ｎを形成することができる。双方の突起２５Ｎ１および２５Ｎ２の頂角が異なることから、突起２５Ｎ１の頂部と溝２６Ｎの底部を接続する障壁面２７Ｎ１と、突起２５Ｎ２の頂部と溝２６Ｎの底部を接続する障壁面２７Ｎ２とが互いに異なる傾斜角を有している。
【００４２】
図９（Ａ）〜（Ｎ）に示したコンタクト側防水形状部２４は、いずれも、コンタクト側固定部２３の長手方向に垂直な面内で、コンタクト側固定部２３の周囲を囲って閉じるように形成されているが、図９（Ｏ）に示されるように、コンタクト側固定部２３の長手方向に対して傾斜した面内で、コンタクト側固定部２３の周囲を囲って閉じるように、突起２５Ｏ、溝２６Ｏおよび障壁面２７Ｏを形成することもできる。このような構成とすれば、コンタクト側固定部２３の表面に形成された溝２６Ｏと、コンタクト側固定部２３の裏面に形成された溝２６Ｏとが、互いにコンタクト側固定部２３の長手方向にずれた位置を占めるため、溝２６Ｏの形成によるコンタクト側固定部２３の断面積の低減を効果的に抑制することができ、コンタクト２０の電気抵抗の低下並びに機械的強度の低下の抑制に有利である。
【００４３】
なお、図９（Ａ）〜（Ｏ）には、溝２６Ａ〜２６Ｌ、２６Ｎおよび２６Ｏの両側に一対の障壁面２７Ａ〜２７Ｌ、２７Ｎ１および２７Ｎ２、２７Ｏが形成される、あるいは、一対の溝２６Ｍの両側にそれぞれ一対の障壁面２７Ｍ１および２７Ｍ２が形成された基本的な構造のみを示したが、複数の突起２５Ａ〜２５Ｌ、２５Ｍ１、２５Ｍ２、２５Ｎ１、２５Ｎ２および２５Ｏと複数の溝２６Ａ〜２６Ｏをコンタクト側固定部２３の表面に連続して形成することにより、複数の障壁面２７Ａ〜２７Ｌ、２７Ｍ１、２７Ｍ２、２７Ｎ１、２７Ｎ２および２７Ｏを形成すれば、さらに優れた防水効果を得ることができる。
【００４４】
また、この発明におけるコンタクト側防水形状部は、コンタクト側固定部の表面からコンタクト側固定部の外方へ突出する突起と、この突起に隣接し且つコンタクト側固定部の表面からコンタクト側固定部の内方に窪んだ溝を有し、突起の頂部と突起に隣接する溝の底部とが、コンタクト側固定部２３の表面に対して傾斜または直交する障壁面により接続されていればよく、図６および図９（Ａ）〜（Ｏ）に示した断面構造に限るものではない。
さらに、実施の形態１におけるシェル側防水形状部３４に対しても、図９（Ａ）〜（Ｏ）に示したコンタクト側防水形状部２４と同様の構造を採用することができる。
【００４５】
実施の形態３
上記の実施の形態１で用いられたシェル３０では、シェル側防水形状部３４が、シェル側固定部３３の腕部３３Ｂに形成されていたが、腕部３３Ｂに限るものではなく、ハウジング１０内に埋め込まれて嵌合部３１からシェル側基板接続部３２に至る経路の途中に配置されるシェル側固定部３３の狭窄部に形成されていればよい。
【００４６】
例えば、図１０に示されるシェル５０のように、嵌合部５１の後端から後方に突出する後方突出部５３Ａの表面にシェル側防水形状部５４を形成することもできる。シェル側防水形状部５４は、図６に示した実施の形態１におけるコンタクト側防水形状部２４およびシェル側防水形状部３４と同様の構造を有している。このシェル５０は、シェル側防水形状部５４が後方突出部５３Ａに形成された点以外は、実施の形態１で用いられたシェル３０と同様の構成を有している。すなわち、嵌合部５１と一対のシェル側基板接続部５２の間にシェル側固定部５３が配置され、シェル側固定部５３が、後方突出部５３Ａと、後方突出部５３Ａの後端に接続された一対の腕部５３Ｂと、双方の腕部５３Ｂの先端に接続された一対の脚部５３Ｃを含み、それぞれの脚部５３Ｃの先端に対応するシェル側基板接続部５２が接続されている。
【００４７】
シェル５０の表面に沿って嵌合部５１から双方のシェル側基板接続部５２に至るには、後方突出部５３Ａを通る必要があり、この後方突出部５３Ａの外周面にシェル側防水形状部５４を形成することで、固定部５３とハウジング１０との界面に沿った水の浸入を遮断することが可能となる。
同様にして、後方突出部５３Ａの代わりに、一対の脚部５３Ｃの表面にそれぞれシェル側防水形状部５４を形成してもよい。
この実施の形態３によっても、防水性を向上させながら、コンタクト２０およびシェル５０の電気抵抗の低下およびハウジング１０の成形性の低下を抑制することが可能となる。
【００４８】
実施の形態４
上記の実施の形態１および３で用いられたシェル３０および５０では、シェル側防水形状部３４および５４が、狭窄部である脚部３３Ｃおよび後方突出部５３Ａにそれぞれ形成されていたが、必ずしも、狭窄部に形成しなくてもよい。
図１１に、実施の形態４に係る防水コネクタの分解図を示す。この防水コネクタは、実施の形態１の防水コネクタにおいて、シェル３０の代わりに、狭窄部を有しないシェル６０を用いたものである。
【００４９】
シェル６０は、図１２に示されるように、中空の扁平な筒形状の嵌合部６１を有すると共に、嵌合部６１の後端側に連結された中空の扁平な筒形状のシェル側固定部６３を有し、シェル側固定部６３の後端から一対のシェル側基板接続部６２が突出形成されている。すなわち、１つの筒状体を前端側部分と後端側部分とに二分し、前端側部分を嵌合部６１、後端側部分をシェル側固定部６３としている。
嵌合部６１は、複数のコンタクト２０の前端に配置された接点部２１の周囲を覆いながら、内面部分がハウジング１０から露出し、シェル側固定部６３は、内面部分および外面部分がすべてハウジング１０内に埋め込まれる。
【００５０】
そして、シェル側固定部６３の外周面に、シェル側防水形状部６４が形成されると共に、シェル側固定部６３の内周面にも、シェル側防水形状部６５が形成されている。シェル側防水形状部６４は、シェル側固定部６３の外周を囲って閉じるように形成され、シェル側防水形状部６５は、シェル側固定部６３の内周を囲って閉じるように形成されている。シェル側防水形状部６４および６５は、図６に示した実施の形態１におけるコンタクト側防水形状部２４およびシェル側防水形状部３４並びに実施の形態２におけるシェル側防水形状部５４と同様の構造を有している。
シェル６０の表面に沿って嵌合部６１から双方のシェル側基板接続部６２に至るには、シェル側防水形状部６４あるいはシェル側防水形状部６５を越える必要があり、これらのシェル側防水形状部６４および６５により、シェル側固定部６３とハウジング１０との界面に沿った水の浸入を遮断することが可能となる。
【００５１】
この実施の形態３に係る防水コネクタを、シェル側基板接続部６２の位置でＸＺ面に沿って切断した状態を図１３に示す。シェル６０の嵌合部６１の内面がハウジング１０に覆われることなく露出し、シェル側固定部６３がハウジング１０内に埋め込まれ、シェル側固定部６３の後端に接続されたシェル側基板接続部６２がハウジング１０の後面１０Ｂから突出して露出している。シェル側固定部６３の外周面および内周面にそれぞれシェル側防水形状部６４および６５が形成されているため、シェル側固定部６３の切断面の両側縁には、シェル側防水形状部６４および６５の断面形状が現れている。
【００５２】
また、防水コネクタを、コンタクト２０の位置でＸＺ面に沿って切断した状態を図１４に示す。コンタクト２０の接点部２１がシェル６０の嵌合部６１内で露出し、コンタクト側基板接続部２２がハウジング１０の後面１０Ｂから後方へ突出して露出し、コンタクト側固定部２３がハウジング１０内に埋め込まれている。コンタクト２０のコンタクト側固定部２３には、複数のコンタクト側防水形状部２４がコンタクト側固定部２３の周囲を囲って閉じるように形成されているため、コンタクト側固定部２３の切断面の両側縁には、コンタクト側防水形状部２４の断面形状が現れている。
このように、中空のシェル側固定部６３を有するシェル６０を用いても、ハウジング１０とシェル６０およびコンタクト２０との間に優れた防水効果が得られると共に、コンタクト２０およびシェル６０の電気抵抗の低下およびハウジング１０の成形性の低下を抑制することが可能となる。
【００５３】
なお、実施の形態３におけるシェル側防水形状部５４、実施の形態４におけるシェル側防水形状部６４および６５に対しても、図９（Ａ）〜（Ｏ）に示したコンタクト側防水形状部２４と同様の構造を採用することができる。
【符号の説明】
【００５４】
１，４  ハウジング、２，５  導電部材、３  溝、６  突起、１０  ハウジング、１０Ａ  前面、１０Ｂ  後面、１０Ｃ  下面、２０  コンタクト、２１  接点部、２２  コンタクト側基板接続部、２３  コンタクト側固定部、２３Ａ  コンタクト側固定部の表面、２３Ｂ  コンタクト側固定部の表面の延長線、２４  コンタクト側防水形状部、２５，２５Ａ〜２５Ｌ，２５Ｍ１，２５Ｍ２，２５Ｎ１，２５Ｎ２，２５Ｏ  突起、２６，２６Ａ〜２６Ｏ  溝、２７，２７Ａ〜２７Ｌ，２７Ｍ１，２７Ｍ２，２７Ｎ１，２７Ｎ２，２７Ｏ  障壁面、３０，５０，６０  シェル、３１，５１，６１  嵌合部、３１Ａ  嵌合部の上面、３２，５２，６２  シェル側基板接続部、３３，５３，６３  シェル側固定部、３３Ａ，５３Ａ  後方突出部、３３Ｂ，５３Ｂ  腕部、３３Ｃ，５３Ｃ  脚部、３４，５４，６４，６５  シェル側防水形状部、３５  金属板、３５Ａ  帯状部分、３５Ｂ  平板部分、Ｓ  空間、Ｃ１  中心軸、Ｈ１  突起の高さ、Ｈ２  溝の深さ、Ｈ３  障壁面の高低差。
【図１】
2016081737.tif 000003
【図２】
2016081737.tif 000004
【図３】
2016081737.tif 000005
【図４】
2016081737.tif 000006
【図５】
2016081737.tif 000007
【図６】
2016081737.tif 000008
【図７】
2016081737.tif 000009
【図８】
2016081737.tif 000010
【図９】
2016081737.tif 000011
【図１０】
2016081737.tif 000012
【図１１】
2016081737.tif 000013
【図１２】
2016081737.tif 000014
【図１３】
2016081737.tif 000015
【図１４】
2016081737.tif 000016
【図１５】
2016081737.tif 000017
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
１つ以上の導電部材が絶縁性樹脂からなるハウジングに一体に成形された防水コネクタにおいて、
前記導電部材は、前記ハウジングから露出して相手側コネクタに接続されるコネクタ接続部と、前記ハウジングから露出して基板に接続される基板接続部と、前記コネクタ接続部と前記基板接続部との間を接続し且つ前記ハウジング内に埋め込まれる固定部とを有し、
前記固定部は、平坦な表面を有する平坦部と、前記平坦部に隣接して配置され且つ前記固定部と前記ハウジングとの界面に沿った水の浸入を遮断するための防水形状部を有し、
前記防水形状部は、前記平坦部の表面を延長した平面よりも前記固定部の外方へ突出する突起と、前記突起に隣接し且つ前記平坦部の表面を延長した前記平面よりも前記固定部の内方に窪んだ溝を有し、前記突起の頂部と前記突起に隣接する前記溝の底部とが、前記平坦部の表面を延長した前記平面に対して傾斜または直交して交差する障壁面により接続されていることを特徴とする防水コネクタ。
【請求項２】
前記防水形状部の前記障壁面は、０．０１ｍｍ以上の高低差を有する請求項１に記載の防水コネクタ。
【請求項３】
前記防水形状部は、前記固定部の周囲を囲って閉じるように形成されている請求項１または２に記載の防水コネクタ。
【請求項４】
前記防水形状部の前記障壁面は、平面、曲面、または、平面と曲面の組み合わせからなる請求項１〜３のいずれか一項に記載の防水コネクタ。
【請求項５】
前記導電部材は、１つ以上のコンタクトからなり、
前記コネクタ接続部は、前記相手側コネクタのコンタクトに接触する接点部からなる請求項１〜４のいずれか一項に記載の防水コネクタ。
【請求項６】
前記導電部材は、シェルからなり、
前記コネクタ接続部は、前記相手側コネクタと嵌合する嵌合部からなり、
前記固定部は、前記コネクタ接続部よりも細く形成されたシェル狭窄部を含み、
前記防水形状部は、前記シェル狭窄部の表面に形成されている請求項１〜４のいずれか一項に記載の防水コネクタ。
【請求項７】
前記導電部材は、シェルからなり、
前記コネクタ接続部は、前記相手側コネクタと嵌合する嵌合部からなり、
前記固定部は、中空の形状を有し、
前記防水形状部は、前記固定部の外周面および内周面にそれぞれ形成されている請求項１〜４のいずれか一項に記載の防水コネクタ。
【請求項８】
前記導電部材は、シェルおよび１つ以上のコンタクトからなり、
前記防水形状部は、前記シェルおよび前記１つ以上のコンタクトにそれぞれ形成されている請求項１〜４のいずれか一項に記載の防水コネクタ。
【手続補正２】
【補正対象書類名】明細書
【補正対象項目名】００１０
【補正方法】変更
【補正の内容】
【００１０】
この発明に係る防水コネクタは、１つ以上の導電部材が絶縁性樹脂からなるハウジングに一体に成形された防水コネクタにおいて、導電部材は、ハウジングから露出して相手側コネクタに接続されるコネクタ接続部と、ハウジングから露出して基板に接続される基板接続部と、コネクタ接続部と基板接続部との間を接続し且つハウジング内に埋め込まれる固定部とを有し、固定部は、平坦な表面を有する平坦部と、平坦部に隣接して配置され且つ固定部とハウジングとの界面に沿った水の浸入を遮断するための防水形状部を有し、防水形状部は、平坦部の表面を延長した平面よりも固定部の外方へ突出する突起と、突起に隣接し且つ平坦部の表面を延長した平面よりも固定部の内方に窪んだ溝を有し、突起の頂部と突起に隣接する溝の底部とが、平坦部の表面を延長した平面に対して傾斜または直交して交差する障壁面により接続されているものである。